(57)【要約】  長さ（Ｌ）、上部（２０）、下部（３０）、周辺部を有する外側表面（４０）、長手方向軸、及び１つ以上の所定の脆弱線（５０）を有する包装体（１０）を有するパッケージ。１つ以上の所定の脆弱線は、長手方向軸に対して角度を有するように配置され得る。包装体は、婦人衛生用物品（８０）を封入することができる。
2010509978.tif 000002
【特許請求の範囲】
【請求項１】
長さ、上部、下部、周辺部を有する外側表面、長手方向軸、及び１つ以上の所定の脆弱線、を有する包装体であって、前記１つ以上の所定の脆弱線が、前記長手方向軸に角度を有するように配置され、前記包装体の前記外側表面の前記周辺部の９５％未満の周囲に延在し、かつ、前記包装体の前記上部から５ｍｍ超過した位置にある、特徴を有する包装体と、
前記包装体に封入された婦人衛生用物品と、を含み、
前記物品が、前記１つ以上の脆弱線を破断して開口部を形成することによって、解放されることができ、
前記包装体が、前記１つ以上の脆弱線が破断された後でも、単一片のままである、パッケージ。
【請求項２】
前記物品が、女性の膣に挿入するよう構成されており、前記物品が挿入端部及び挿入端部と反対側の第２端部を有し、前記包装体が、前記上部を含む上１／３区分、中１／３区分、前記下部を含む下１／３区分を含み、前記１つ以上の所定の脆弱線が前記上１／３区分に配置される、請求項１に記載のパッケージ。
【請求項３】
前記物品の前記第２端部の少なくとも一部が、前記包装体の前記上１／３区分に配置される、請求項２に記載のパッケージ。
【請求項４】
前記物品が、前記包装体の前記下部に最も近い位置で前記包装体に配置されたときに、前記物品の２５％未満が、前記開口部の上に位置する、請求項１〜３のいずれか一項に記載のパッケージ。
【請求項５】
前記１つ以上の所定の脆弱線が、前記包装体の前記長さに対して、横方向に配置され、前記包装体の前記外側表面の前記周辺部の５０％未満の周囲に延在する、請求項１〜４のいずれか一項に記載のパッケージ。
【請求項６】
前記包装体が、１つ以上の開封補助部を含む、請求項１〜５のいずれか一項に記載のパッケージ。
【請求項７】
前記物品の前記第２端部が、前記１つ以上の脆弱線を破断するための支持体を構成する、請求項２〜６のいずれか一項に記載のパッケージ。
【請求項８】
前記包装体が、前記上部を含む上１／４区分及び前記下部を含む下１／４区分を含み、前記１つ以上の所定の脆弱線が、前記包装体の前記上１／４区分に配置される、請求項１〜７のいずれか一項に記載のパッケージ。
【請求項９】
前記物品の前記第２端部の少なくとも一部が、前記包装体の前記上１／４区分に配置される、請求項８のパッケージ。
【請求項１０】
前記物品が、タンポン又はペッサリーである、請求項１〜９のいずれか一項に記載のパッケージ。
【発明の詳細な説明】
【技術分野】
【０００１】
本発明は婦人衛生用物品のための包装体に関し、より詳細には、１つ以上の所定の脆弱線を有する包装体に関する。
【背景技術】
【０００２】
婦人衛生用物品、例えば、生理用ナプキン、ライナー、タンポン、陰唇間パッド、失禁物品及びペッサリーなどは、一般的に、例えば生理時若しくはその他の身体の排出物を吸収するなどの女性のニーズ、骨盤支持、及び／又はその他の女性のニーズに対して、女性によって使用される。そのような品目は、典型的に個々にパッケージ化されて、衛生を促進し、使用を容易にし、持ち運びを容易にする。例えば、タンポンは、タンポンを完全に封入する包装体に個々にパッケージ化され得る。包装体は、例えば、ポリエチレン、ポリプロピレン又はセロハンで作製されたプラスチックフィルムなど、任意の好適な材料で作製することができる。そのような包装体を開封する通常の方法は、包装体を分離又は裂開して包装体に開口部を作り、それを介してタンポンを取り出せるようにする。
【０００３】
現在、入手可能な包装体は１つ以上の欠点を有する場合がある。第１に、多くの包装体は開封時に、２片以上の材料に分離する。このタイプの包装体は、タンポンの使用中に取り扱う包装体からいくらかのごみ片を発生させるが、その後ごみ片は集められ、廃棄されなければならない。第２に、包装体は、確実で安定した開口部を阻害する形で、予期せず裂開する可能性がある。第３に、包装体は、例えば、ユーザーの財布又はポケット内などで、移動中及び使用前に望ましくないことに開封する可能性があり、衛生の喪失及び物品の無駄となる可能性がある。第４に、多くの包装体は使用後に、例えばタンポンのアプリケータなどの物品の一部を分離（discreet）廃棄用に、包装体の使用を促進するようには設計されていない。第５に、多くの包装体は、開封するのに扱いにくく及び／又はユーザーが容易に理解できるような分かり易い開封手段を有さない場合がある。更に、現在入手可能な包装体は、典型的には、包装体が完全に開封されると、物品の大部分及び／又は物品全体を露出させてしまう。これは、包装体が物品の一部の使用後の廃棄を容認するよう構成されている場合は、物品の使用中及び／又は物品の使用後に、衛生環境を低下させてしまう結果になる。
【発明の概要】
【発明が解決しようとする課題】
【０００４】
このように、向上した衛生、予測可能で容易な開封、及び分離廃棄を提供し、開封後でも単一片のままであることが可能な婦人衛生用物品、例えばタンポンなどの包装体を提供することが望ましい。包装体の開封時に物品の露出を抑えることが可能な、婦人衛生用物品のための包装体を提供することが望ましい。
【課題を解決するための手段】
【０００５】
長さ、上部、下部、周辺部を有する外側表面、長手方向軸、及び長手方向軸に角度を有するように配置された１つ以上の所定の脆弱線を有する包装体を有するパッケージが提供される。１つ以上の所定の脆弱線は、包装体の外側表面の周辺部の約９５％未満の周囲に延在することができ、かつ、包装体の上部から約５ｍｍ超過した位置にあることができる。包装体は、婦人衛生用物品を封入することができ、物品が１つ以上の脆弱線を破断することによって解放され、開口部を形成することができる。特定の実施形態において、包装体は、１つ以上の脆弱線が破断された後でも、単一片のままであることができる。
【０００６】
長さ、上部、下部、周辺部を有する外側表面を有する包装体、並びに１つ以上の所定の脆弱線、上部を含む上１／３区分、中１／３区分、及び下部を含む下１／３区分を含むパッケージが更に提供される。１つ以上の所定の脆弱線は、包装体の上１／３区分に配置されることができ、周辺部の約９５％未満の周囲に延在することができる。包装体は、女性の膣に挿入するよう構成された物品を封入することができ、物品は、挿入端部、及び挿入端部と反対側の第２端部を有することができる。物品の第２端部の少なくとも一部分は、包装体の上１／３区分に配置することができる。物品は、１つ以上の脆弱線を破断し開口部を形成することによって解放され、包装体の下部に最も近位の位置で包装体に物品が配置されると、物品の約５０％未満が、開口部の上の位置にあることができる。包装体は、１つ以上の脆弱線が破断された後でも、単一片のままであることができる。
【０００７】
包装体から物品を取り外す方法も、提示される。
【図面の簡単な説明】
【０００８】
【図１】本発明の一実施形態の平面図。
【図２】本発明の一実施形態の平面図。
【図３】本発明の一実施形態の平面図。
【図４】本発明の一実施形態の平面図。
【図５】本発明の一実施形態の平面図。
【図６】本発明の一実施形態の平面図。
【発明を実施するための形態】
【０００９】
本発明は、婦人衛生用物品、例えばタンポンなどの物品用のパッケージに関する。包装体は１つ以上の所定の脆弱線を含むことができる。特定の実施形態において、１つ以上の所定の脆弱線は、包装体の長手方向軸に角度を有するように配置することができる。加えて又は別の方法としては、１つ以上の所定の脆弱線は、包装体の長さに対して実質的に横方向に配置することができる。包装体は、婦人衛生用物品、例えばタンポンなどを実質的に封入するように構成することができる。特定の実施形態において、包装体は、１つの物品を個々にパッケージ化するように構成すること、又は１つ以上の物品をパッケージ化するように構成することができる。そのような包装体は、使用前の物品の露出が抑えられ、向上した衛生、予測可能で容易な開封、及び／又は分離廃棄などの利点をユーザーに提供することができる。包装体は、ごみ片を減らしながら、開封の後でも単一片のままであることができ、ユーザーにとって利便性が向上する。
【００１０】
本明細書で使用するとき、用語「婦人衛生用物品」は、典型的には女性が使用することを意図された、例えば、生理用ナプキン、ライナー、タンポン、陰唇間物品、失禁物品、及びペッサリーなどの吸収性物品などをいう。
【００１１】
本明細書で使用するとき、用語「タンポン」は、例えば流体の吸収、創傷治癒の補助、及び／又は水分若しくは薬剤のような活性物質等の物質送達のような目的のために、膣管又は他の体腔に挿入できる、吸収塊のような任意の種類の吸収性構造体をいう。用語「タンポン」は、膣管又は他の体腔へのタンポンの挿入を促進するための、吸収性構造体と、吸収性構造体に付随し得るあらゆる種類のアプリケータとの組み合わせを含むこともできる。タンポンには、例えば、指式タンポン、従来のプランジャ式アプリケータ付きタンポン、及び／又は米国特許第４，７２６，８０５号、同第４，８４６，８０２号、同第４，９６０，４１７号、同第５，０８７，２３９号、同第５，２７９，５４１号、同第６，２５８，０７５号、同第６，４７８，７６３号に記載のタンポンなどのコンパクトなアプリケータ付きタンポン、又はあらゆるその他の既知のタンポンが挙げられる。
【００１２】
本明細書で使用するとき、用語「脆弱線」は、パターンに配置された複数個の脆弱な点をいう。パターンは、直線、湾曲、角度付き、曲線であること、及び／又は方向を変えることができる。１つ以上の個々の脆弱な点は、重なり合って脆弱線を形成できる。加えて又は別の方法としては、１つ以上の個々の脆弱な点は、互いに離間して、脆弱線を形成することができる。
【００１３】
本明細書で使用するとき、用語「脆弱な点」は、包装材料の厚さが、実質的にその領域を包囲する包装材料の厚さ未満である、包装材料における領域をいう。脆弱な点は、例えば、凹部又は穿孔などによって、任意の好適な方法で形成することができる。
【００１４】
本明細書で使用するとき、用語「凹部」は、包囲する包装材料未満の厚さであるが、０より大きい厚さを有する脆弱な点をいう。凹部は、包装材料の内側から及び／又は外側表面から包装材料の中に延在できる。特定の実施形態において、脆弱線の形成時に、凹部によって形成される実質的に連続的な脆弱線（例えば線又は溝など）が作り出されるように、個々の凹部は互いに重なり合うことができる。
【００１５】
本明細書で使用するとき、用語「穿孔」は、１つ以上の脆弱な点をいい、脆弱な点を形成する包装材料の領域の少なくとも一部は、約ゼロの厚さを有することができる。
【００１６】
図１は、包装体１０の一実施形態を示す。包装体１０は、長さＬ、幅Ｗ、上部２０、下部３０、及び周辺部を有する外側表面４０を有する。本実施形態では、包装体１０は、包装体１０の上１／３区分、例えば包装体１０の上１／４区分に配置された脆弱線５０を有する。脆弱線５０は、包装体１０の周辺部の約５０％未満の周囲に延在することができる。包装体１０は、包装体１０の下部３０の位置にある端部シール６０、及び／又は開封補助部として機能する上部シール７０（例えばタブ）、例えば包装体１０の上部２０の位置にある指用グリップなどを有することができる。例えばタンポンなどの婦人衛生用物品８０は、包装体１０内に配置することができる。
【００１７】
図２は、例えば図１に示される包装体１０などの、本発明の包装体１０の背面の１つの実施形体を示す。包装体１０は、長さＬ、幅Ｗ、上部２０、下部３０、及び周辺部を有する外側表面４０を有する。本実施形態では、包装体１０は、包装体１０の周辺部の約５０％未満の周囲に延在することができる脆弱線５０を有する。包装体１０は、包装体１０の下部３０の位置にある端部シール６０、及び／又は開封手段として機能できる上部シール７０（例えばタブ）、例えば包装体１０の上部２０の位置にある指用グリップなどを有することもできる。本実施形態では、包装体１０は、包装体１０の長さＬだけ下方に延在する後部シール９０を有する。婦人衛生用物品８０、例えばタンポンなどは、包装体１０内に配置することができる。
【００１８】
図３は、例えば図１に示される包装体１０などの、包装体１０の１つ実施形態を示す。包装体１０は、長さＬ、幅Ｗ、上部２０、下部３０、及び周辺部を有する外側表面４０を有する。本実施形態では、上部シール７０を後方へ折って脆弱線５０を破断し、包装体１０を開封できる。いったん包装体１０が開封されると、物品８０は包装体１０の下部３０から押し上げられ取り外される。図３に示されるとおり、本実施形態では包装体１０は、開封後でも、単一片のままであることができる。使用後に、物品８０の全て又は一部、例えばタンポンのアプリケータ部分などは、包装体１０に入れることができる。本実施形態では、上部シール７０は、物品８０が包装体１０に入れられると、バックストップ（backstop）として使用できる。特定の実施形態において、物品８０の輸送中及び／又は廃棄中の向上した分離及び清潔度のために、上部シール７０を前に引っ張り、使用済みの物品８０を覆うことができる。
【００１９】
図４は包装体１０の実施形態を示す。包装体１０は、長さＬ、幅Ｗ、上部２０、下部３０、及び周辺部を有する外側表面４０を有する。本実施形態では、包装体１０は、包装体１０の上１／３区分に位置する脆弱線５０を有する。脆弱線５０は、例えば下部３０から包装体１０の上部２０に向けるなど、長手方向軸１００に角度を有するように、包装体１０上に配置することができる。脆弱線５０は、包装体１０の周辺部の約９５％未満、例えば、約９０％未満、約８５％未満、約８０％未満、約７５％未満、約７０未満、約６５％未満、約６０％未満、約５５％未満、約５０％未満、約４５％未満、約４０％未満など、又は周辺部の他の好適な任意の量の周囲に延在することができる。包装体１０は、包装体１０の下部３０に位置するた端部シール６０、包装体１０の上部２０に位置する上部シール７０、及び又は１つ以上のサイドシール１１０を有することができる。婦人衛生用物品８０、例えばタンポンなどは、包装体１０内に配置することができる。
【００２０】
図５は包装体１０の実施形態を示す。包装体１０は、長さＬ、幅Ｗ、上部２０、下部３０、及び周辺部を有する外側表面４０を有する。本実施形態では、包装体１０は、包装体１０の上１／３区分に位置する脆弱線５０を有する。脆弱線５０は、例えば下部３０から包装体１０の上部２０に向けるなど、長手方向軸１００に角度を有するように、包装体１０上に配置することができる。脆弱線５０は、包装体１０の周辺部の約９５％未満、例えば約９０％未満、約８５％未満、約８０％未満、約７５％未満、約７０％未満、約６５％未満、約６０％未満、約５５％未満、約５０％未満、約４５％未満、約４０％未満など、又は周辺部の他の好適な任意の量の周囲に延在することができる。脆弱線５０は、開始点１２０、例えば、ノッチ、スリット、穿孔、又は他の脆弱点などを有することができるが、これは脆弱線５０を破断して包装体１０を開封するために、開始点１２０での裂開開始に必要な力を抑えることができる。包装体１０は、包装体１０の下部３０に位置する端部シール６０、包装体１０の上部２０に位置する上部シール７０、及び又は１つ以上の側部上における１つ以上のサイドシール１１０を有することができる。婦人衛生用物品８０、例えばタンポンなどは、包装体１０内に配置することができる。
【００２１】
図６は、包装体１０の一実施形態を示す。包装体１０は、長さＬ、幅Ｗ、上部２０、下部３０、及び周辺部を有する外側表面４０を有する。包装体１０の上部２０は、引っ張られて脆弱線５０を破断し、包装体１０の破断されていない部分から形成されるヒンジ１４０を有するフード１３０を形成しながら、包装体１０を開封することができる。いったん包装体１０が開封されると、物品８０は把持され、取り外される。図６に示されるとおり、本実施形態では、包装体１０は開封後でも単一片のままであることができる。使用後に、物品８０の全て又は一部分、例えばタンポンのアプリケータ部分などは、包装体１０に入れることができる。本実施形態では、輸送中及び／又は廃棄中の向上した分離及び清浄度のために、フード１３０は、使用済みの物品８０又はその部分を覆って配置され得る。包装体１０は、使用済みの物品８０を覆って、包装体１０の一部分の封止手段、例えば、１つ以上の表面上に配置された感圧性接着剤を有するタブ１５０などを含むこともできる。
【００２２】
包装体１０は、１つ以上の脆弱線を有することができる。１つ以上の脆弱線５０は、包装体１０上の任意の好適な位置に配置できる。特定の実施形態において、１つ以上の脆弱線５０は、包装体１０の上部２０近く、例えば、中に入っている物品８０の使用前の露出を抑えるのに好適な位置などに配置できる。本明細書で使用するとき、「包装体の上部」は、包装体１０に最も近い部分、及び／又は包装体１０から最初に取り外されるべき物品８０の端部を覆う部分をいう。例えば、物品８０はアプリケータを有するタンポンである場合、包装体１０の上部２０は、包装体１０に一番近い部分、及び／又は挿入端部と反対側の、アプリケータの部分を覆う部分であることができる。特定の実施形態において、１つ以上の脆弱線５０は、例えば、包装体１０の上半分、包装体１０の上１／３区分、包装体１０の上１／４区分、包装体１０の上１／５区分、包装体１０の上１／６区分、又は任意の他の好適な位置にあることができる。
【００２３】
特定の実施形態において、１つ以上の脆弱線５０は、１つ以上の脆弱線５０の破断時及び／又は包装体１０の開封時に、包装体１０に封入された物品８０が、例えば、全てが目に見えるわけではない及び／又は開口部の上に位置されないなど、全体が露出されないように、包装体１０の上部２０の近くに位置することができる。例えば、包装体１０が完全に開封されたとき、１つ以上の脆弱線５０は、例えば開口部の上に位置するなど、包装体１０の上部２０近く、例えば、物品８０の約５０％未満、約４５％未満、約４０％未満、約３０％未満、約２５％未満、約２０％未満、約１５％未満、約１０％未満、約５％未満、又はそれ未満の物品８０が露出されるように、位置することができる。特定の実施形態において、１つ以上の脆弱線５０は、包装体１０が完全に開封されたとき、物品８０が全く露出されないように、例えば開口部の上に位置するなど、包装体１０の上部２０近くに位置することができる。
【００２４】
１つ以上の脆弱線５０は、包装体１０が完全に開封された後でも、包装体１０が単一片のままであるのに好適なように、包装体１０の幅Ｗ及び／又は周辺部の任意の量を取り囲むことができる。特定の実施形態において、１つ以上の脆弱線５０は、包装体１０の全体の周辺部未満、例えば、約９５％未満、約９０％未満、約８５％未満、約８０％未満、約７５％未満、約７０％未満、約６５％未満、約６０％未満、約５５％未満、約５０％未満、約４５％未満、約４０％未満、又は周辺部の他の好適な任意の量を横切って延在することができる。１つ以上の脆弱線５０は、包装体１０の開封時に、物品８０を包装体１０から取り外すことが可能なくらい十分に大きい開口部を作ることができるほど長くすることができる。
【００２５】
１つ以上の脆弱線５０は、任意の好適なパターン及び／又は方向で提供することができる。特定の実施形態において、１つ以上の脆弱線５０は、包装体１０を横切って、例えば包装体１０の長さＬに対して横断して提供することができる。加えて又は別の方法としては、１つ以上の脆弱線５０は、包装体１０の長手方向軸１００に角度を有するように、提供することができる。任意の好適な角度、例えば、脆弱線５０の開始点１２０から包装体１０の上部２０に向けた上向きの角度、及び／又は脆弱線５０の開始点１２０から包装体１０の下部３０に向けた下向きの角度などを使用できる。好適な角度には、例えば約５°〜約８５°など、例えば約１５°〜約７５°など、例えば約２５°〜約６５°など、例えば約３５°〜約５５°などが挙げられる。
【００２６】
脆弱線５０は、例えば、機械的に及び／又は例えばレーザを使用するなど熱で及び／又は化学的になど、任意の好適な方法で形成することができる。脆弱線５０は、一列に配置された複数の脆弱点を含むことができる。列は、直線、湾曲、角度付き、曲線であること、及び／又方向を変えることができる。特定の実施形態において、１つ以上の個々の脆弱点は、重なり合って脆弱線５０を形成することができる。加えて又は別の方法としては、１つ以上の個々の脆弱点は、互い離間して、脆弱線５０を形成することができる。特定の実施形態において、個々の脆弱点は、包囲する領域より弱く、例えば約５０％弱く、約７５％弱く、又は約１００％弱くすることなどができる。１つ以上の脆弱線５０は、穿孔によって又は凹部によって形成することができる。特定の実施形態において、１つ以上の脆弱線５０は、追加的な開封手段、例えば裂開テープ、ストッパ、及び／又はひもなどを必要とせず、物品８０に到達するための開口部を提供するのに十分であることができる。
【００２７】
包装体１０は、婦人衛生用物品８０を包装するのに好適な任意の材料を含むことができる。好適な包装材料には、例えば、可撓性材料、例えば可撓性高分子フィルムなど、例えばポリエチレン、ポリプロピレン、ポリエステル、セロハン、ポリアミド、ポリ塩化ビニル、エチレンビニルアセテートコポリマーから作製される高分子フィルムなど、及び／又は他の好適なフィルムが挙げられる。特定の実施形態において、包装材料は、熱伸縮性フィルム、伸長フィルム又は予め伸長された弾性材料、例えばポリエチレン及びポリプロピレンなどのポリオレフィンを含む包装材料、若しくはポリ塩化ビニルなどであることができる。その他の好適な材料には、例えば、ポリスチレン、ポリエチレンテレフタレート（ＰＥＴ）、及びアルミニウム箔のような金属箔が挙げられる。好適な材料には、例えば、不織布、織布、スクリム、メッシュ、及び紙などの非閉塞性又は多孔質材料も挙げることができる。かかる非閉塞性材料は、閉塞材料でのコーティングと共に積層によって、又は閉塞材料でのコーティングによって、閉塞性にすることができる。セルロース系の紙の場合、例としては、ポリオレフィン組成物などの高分子フィルムとの積層、又はワックスによる紙のコーティング若しくは含浸が挙げられる。特定の実施形態において、包装材料は、様々な化合物でコーティングされ、そのバリア特性又は封止能力を改善することができる。加えて又は別の方法としては、包装材料は、包装体１０の輸送中並びに取り扱い及び開封中に、低騒音の包装体１０を提供するために、低い曲げ弾性率を有することができる。
【００２８】
包装体１０は、例えば、包装材料の連結された単一片での作成、又は包装材料の連結した単一片として実質的に作用するよう十分に接合した複数の材料片での作成など、任意の好適な方法で作成することができる。特定の実施形態において、包装体１０は、物品８０の包装後、それ自体へのヒートシールを介して、包装材料を閉じることによって形成することができる。加えて又は別の方法としては、包装体１０は、接着、エンボス加工、けん縮、ミシン掛け、縫い合わせ、交絡、機械的噛み合わせ、冷間圧接、超音波結合、及び／又は別の方法で固着されるか、若しくは封止され得る。
【００２９】
包装体１０は、任意の好適な色とすることができる。特定の実施形態において、包装体１０は、物品８０の特徴、例えば、吸収力、寸法、芳香、ローション、又はその他の特徴などに対応する１つ以上の色を含むことができる。例えば、物品８０はタンポンであり得、包装体１０は、タンポンの吸収力に対応する１つ以上の色を含むことができる。特定の実施形態において、包装体１０は、１つ以上のしるし（indica）を含み、包装体１０上の１つ以上の脆弱線５０の位置の視覚的表示を提供することができる。しるしは、視覚的表示、例えば、色、不透明度、エンボス、手触り、又はその他の好適なしるしなどを提供するのに好適な任意のしるしであることができる。特定の実施形態において、しるしは、１つ以上の脆弱線５０の位置を表示するのに好適な１つ以上の色（colosr）、例えば、包装体１０の１つ以上の色よりも濃い、明るい、及び／又は対照的な１つ以上の色などであることができる。しるしは、１つ以上の色であることができる。特定の実施形態において、しるしはパターンで、例えば一列などで配置することができる。しるしは、１つ以上の脆弱線５０の位置を表示するのに好適な任意の位置、例えば、１つ以上の脆弱線５０の位置に対応する位置及び／又は１つ以上の脆弱線５０に近い位置などであることができる。
【００３０】
特定の実施形態において、包装体１０は、開封補助部、例えば、ユーザーが包装体１０を開封するのをより容易にするための手段などを含むことができる。開封補助部は、例えば、ユーザーが包装体１０を掴んで、１つ以上の脆弱線５０を破断する手段を提供することによって、ユーザーが包装体１０から物品８０を取り外すのを補助することができる。開封補助部は、任意の好適な手段、例えば、１つ以上のタブ、フラップ、リング、キャップ、プレート、曲線プレート、スティック、ディスク、非対称構造、メッシュ、スクリーン、張り出した構造、成形部品、切断されるか若しくは型押ししたシート、又は米国特許第６，９５５，６６５号（ドメラー（Domeler）ら）に記載される開封補助部のような、任意のその他の好適な開封補助部にすることができる。開封補助部は、包装体１０上の任意の好適な位置、例えば、包装体１０の上部２０、包装体１０の１つ以上の側部、及び／又は包装体１０の下部３０などにすることができる。
【００３１】
開封補助部は、１つ以上のタブを含むことができる。１つ以上のタブは、包装体１０の部分から形成されることができる。別の方法として又は加えて、１つ以上のタブは、包装材料の外側表面４０から、例えば包装体１０から突出している包装材料の一部などとして延在することができる。タブは任意の好適な寸法とすることができる。特定の実施形態において、タブは、例えばタブ、ハンドル又は指グリップのように、ユーザーがしっかりと把持するのに十分なほど大きい。特定の実施形態において、タブは、例えばヒートシール、及び／又は熱の添加若しくは熱の添加のないエンボス加工によって、剛化することができる。特定の実施形態において、タブは、シールとして機能することもできる。例えば、特定の実施形態において、包装体１０は、アプリケータの長さＬ並びにタブ及び／又は指グリップのように機能することができる上部シール７０に対して横方向であり得る、１つ以上の脆弱線５０を含むことができる。この例では、ユーザーはタブを把持し、そのタブを引くか曲げるかして、１つ以上の脆弱線５０を破断することができる。特定の実施形態において、物品８０の一部、例えばタンポン物品８０の端部などは、タブが折られたり引っ張られたりしたとき、１つ以上の脆弱線５０を破断するのを促進する対向力をもたらすように作用することができる。
【００３２】
包装体１０から物品８０を取り外す方法も、提供されている。特定の実施形態において、方法は包装体１０を把持すること、１つ以上の脆弱線５０を破断して物品８０を解放するよう構成された開口部を形成することを含む。ユーザーは、その後、物品８０を把持し、包装体１０からそれを取り出すことができる。又は別の方法として若しくは加えて、ユーザーが物品８０の少なくとも一部を把持することができるように、包装体１０の下部３０から物品８０を押し上げることができる。１つ以上の脆弱線５０が破断されて開口部を形成した後でも、包装体１０は単一片のままであることができる。
【００３３】
特定の実施形態において、ユーザーは、使用後の廃棄のために、物品８０の少なくとも一部を有するであろう。ユーザーは、廃棄のために、使用済みの物品８０の少なくとも一部を包装体１０に入れることができる。例えば、包装体１０が開封補助部を含むところでは、開封補助部は、特定の実施形態において、例えば、バックストップ（backstop）のように作用することなどによって、使用済みの物品８０又はその一部を包装体１０へ入れることを促進するよう作用することができる。特定の実施形態において、輸送及び／又は廃棄のため、使用済みの物品８０が包装体１０の中にいったん入れられると、包装体１０の一部、例えば包装体１０の上部２０などは、引っ張られて使用済みの物品８０の少なくとも一部を覆うことができ、輸送及び／又は廃棄中に、向上した分離及び清浄度をもたらす。
【００３４】
特定の実施形態において、輸送及び／又は廃棄のため、使用済みの物品８０が包装体１０にいったん入れられると、包装体１０は、包装体１０の一部を封止して使用済みの物品８０の少なくとも一部を覆う手段を含むことができる。包装体１０の封止に好適な手段は、例えば接着剤（adhesive）、接着剤（glues）、テープ、熱接着、及び／又は機械的な締結具などを使用できる。特定の実施形態において、手段には、包装体１０の表面の一部を、接着剤、貼着剤、又はその他の連結手段で覆うことを含むことができる。加えて又は別の方法としては、手段は、感圧性接着剤、又は１つ以上の表面上に配置されたその他の好適な密閉手段を有する封止タブ１５０を含むことができる。
【００３５】
本明細書で開示した寸法及び値は、列挙した厳密な数値に狭義に限定されるものとして解釈されるべきではない。それよりむしろ、特に指定されない限り、こうした寸法はそれぞれ、列挙された値と、その値周辺の機能的に同等の範囲との両方を意味するものとする。例えば、「４０ｍｍ」として開示された寸法は、「約４０ｍｍ」を意味することを意図する。
【００３６】
本発明の「発明を実施するための形態」で引用したすべての文献は、関連部分において、本明細書に参考として組み込まれるが、いずれの文献の引用も、それが本発明に対する先行技術であることを容認するものとして解釈されるべきではない。本書における用語のいずれかの意味又は定義が、参照により組み込まれた文献における用語のいずれかの意味又は定義と相反する範囲では、本書においてその用語に与えられた意味又は定義が適用されるものとする。
【００３７】
本発明の特定の諸実施形態を図示し、記載したが、本発明の趣旨及び範囲から逸脱することなく他の様々な変更及び修正を実施できることは当業者には自明であろう。したがって、本発明の範囲内にあるこのようなすべての変更及び修正を、添付の特許請求の範囲で扱うものとする。
【図１】
2010509978.tif 000003
【図２】
2010509978.tif 000004
【図３】
2010509978.tif 000005
【図４】
2010509978.tif 000006
【図５】
2010509978.tif 000007
【図６】
2010509978.tif 000008
【国際調査報告】
2010509978.tif 000009
2010509978.tif 000010
2010509978.tif 000011